(57)【要約】【課題】  大量にセッションを使用している利用者にインターネットの使用ができないようにして、健全に使用しているインターネットの利用者に納得のいけるサービスを提供できる通信システムを提供する。【解決手段】  集合住宅にルータ８を導入して複数の住戸２でパソコン５によるインターネットを利用可能にした通信システムにおいて、大量のセッションを使っているパソコン５のインターネット通信を自動的に遮断するセッション数監視手段１１を設けた。また、前記セッション数監視手段１１は、定期的にルータ８にリモートで入りセッション数の調査をする機能を有している。【選択図】図１
2013143622.tif 000002
【特許請求の範囲】
【請求項１】
集合住宅にルータ８を導入して複数の住戸２でパソコン５によるインターネットを利用可能にした通信システムにおいて、
大量のセッションを使っているパソコン５のインターネット通信を自動的に遮断するセッション数監視手段１１を設けたことを特徴とする通信システム。
【請求項２】
前記セッション数監視手段１１は、定期的にルータ８にリモートで入りセッション数の調査をする機能を有していることを特徴とする請求項１に記載の通信システム。
【請求項３】
前記セッション数監視手段１１は、一定の時間がきたら集合住宅側にリモート接続し、リモート接続に成功すれば、ルータ８と通信を開始する機能を有していることを特徴とする請求項２に記載の通信システム。
【請求項４】
前記セッション数監視手段１１は、前記リモート接続に成功したか否かを判断し、リモート接続に失敗すれば管理者に通知する機能を有していることを特徴とする請求項３に記載の通信システム。
【請求項５】
前記セッション数監視手段１１は、前記セッション数の調査により大量のセッションを使用するパソコン５がある場合、大量のセッションを使用するパソコン５のＭＡＣアドレスを調べる機能を有していることを特徴とする請求項２〜４のいずれかに記載の通信システム。
【請求項６】
前記セッション数監視手段１１は、大量のセッションを使用するパソコン５のＭＡＣアドレスをインターネット使用不可にする機能を有していることを特徴とする請求項１〜５のいずれかに記載の通信システム。
【請求項７】
前記セッション数監視手段１１は、インターネット使用不可にしたＭＡＣアドレスを記憶する機能を有していることを特徴とする請求項６に記載の通信システム。
【請求項８】
前記セッション数監視手段１１は、インターネット使用不可にしたＭＡＣアドレスが記憶されている場合、インターネット使用不可にしてから一定の時間がたっていれば、ＭＡＣアドレスを使用可能にする機能を有していることを特徴とする請求項７に記載の通信システム。
【請求項９】
前記セッション数監視手段１１は、集合住宅の外部のパソコンでシステムを構築して無人でセッション数の監視を行うように構成されていることを特徴とする請求項１〜８のいずれかに記載の通信システム。
【請求項１０】
前記集合住宅がマンション１であり、マンション１の全住戸２でパソコン５によるインターネットを利用可能にしていることを特徴とする請求項１〜９のいずれかに記載の通信システム。
【発明の詳細な説明】
【技術分野】
【０００１】
本発明は、マンション等の集合住宅における複数の住戸でパソコンによるインターネットを利用可能にした通信システムに関するものである。
【背景技術】
【０００２】
インターネットマンション等の通信システムでは、マンション等の集合住宅にルータを導入して複数の住戸でパソコンによるインターネットを利用可能にしたものがある（例えば、特許文献１、２）。
この種の従来の通信システムでは、インターネット通信におけるセッション数が制限されていないのが一般的であった（例えば、特許文献１、２）。
【先行技術文献】
【特許文献】
【０００３】
【特許文献１】特開２０１０−２８８３０４号公報
【特許文献２】特開２０１１−１５１７３７号公報
【発明の概要】
【発明が解決しようとする課題】
【０００４】
従って、従来では、マンションの１住戸で、インターネット通信において例えばＰ２Ｐファイル共有ソフト等を使用することによって大量にセッションが使用されると、他の全住戸でインターネットの利用ができなくなるという問題があった。
本発明は上記問題点に鑑み、大量にセッションを使用している利用者にインターネットの使用ができないようにして、健全に使用しているインターネットの利用者に納得のいけるサービスを提供できる通信システムを提供することを目的としている。
ここで、Ｐ２Ｐファイル共有ソフトとは、インターネットを通じてファイルを不特定多数のコンピュータの間で共有することを目的としたソフトウェアであり、ファイル共有ソフトは、ソフトが定めた専用のプロトコルで通信を行うことで専用のネットワークを構成し、そのネットワークに接続された不特定多数のコンピュータとの間で共有されているファイルのやりとりを行う仕組みを持つもので、効率的な共有を実現させるために、ほとんどのファイル共有ソフトはＰｅｅｒｔｏＰｅｅｒモデルを用いて通信させている。
【課題を解決するための手段】
【０００５】
本発明における課題解決のための具体的手段は、次の通りである。
この技術的課題を解決する本発明の技術的手段は、集合住宅にルータ８を導入して複数の住戸２でパソコン５によるインターネットを利用可能にした通信システムにおいて、
大量のセッションを使っているパソコン５のインターネット通信を自動的に遮断するセッション数監視手段１１を設けた点にある。
また、本発明の他の技術的手段は、前記セッション数監視手段１１は、定期的にルータ８にリモートで入りセッション数の調査をする機能を有している点にある。
また、本発明の他の技術的手段は、前記セッション数監視手段１１は、一定の時間がきたら集合住宅側にリモート接続し、リモート接続に成功すれば、ルータ８と通信を開始する機能を有している点にある。
また、本発明の他の技術的手段は、前記セッション数監視手段１１は、前記リモート接続に成功したか否かを判断し、リモート接続に失敗すれば管理者に通知する機能を有している点にある。
また、本発明の他の技術的手段は、前記セッション数監視手段１１は、前記セッション数の調査により大量のセッションを使用するパソコン５がある場合、大量のセッションを使用するパソコン５のＭＡＣアドレスを調べる機能を有している点にある。
また、本発明の他の技術的手段は、前記セッション数監視手段１１は、大量のセッションを使用するパソコン５のＭＡＣアドレスをインターネット使用不可にする機能を有している点にある。
また、本発明の他の技術的手段は、前記セッション数監視手段１１は、インターネット使用不可にしたＭＡＣアドレスを記憶する機能を有している点にある。
また、本発明の他の技術的手段は、前記セッション数監視手段１１は、インターネット使用不可にしたＭＡＣアドレスが記憶されている場合、インターネット使用不可にしてから一定の時間がたっていれば、ＭＡＣアドレスを使用可能にする機能を有している点にある。
また、本発明の他の技術的手段は、前記セッション数監視手段１１は、集合住宅の外部のパソコンでシステムを構築して無人でセッション数の監視を行うように構成されている点にある。
また、本発明の他の技術的手段は、前記集合住宅がマンション１であり、マンション１の全住戸２でパソコン５によるインターネットを利用可能にしている点にある。
【発明の効果】
【０００６】
請求項１によれば、大量にセッションを使用している利用者にインターネットの使用ができないようにして、健全に使用しているインターネットの利用者に納得のいけるサービスを提供できるようになる。
請求項２によれば、集合住宅の外部から定期的にルータを調査することにより、大量のセッション数を使用するパソコンの有無を知ることができ、セッション数の監視を外部から定期的に行って通信システムのサービスを向上させることができる。
請求項３によれば、定期的にルータにリモートで入ることにより、集合住宅の外部からルータ８と通信を開始して、セッション数を効率よく監視することができる。
請求項４によれば、管理者は集合住宅の外部にいても通知によってリモート接続に失敗したことを知ることができ、迅速に対処することが可能になる。
請求項５によれば、大量のセッションを使用しているＭＡＣアドレスを特定することによって、大量のセッションを使用するパソコンを迅速かつ確実に割り出すことができる。
請求項６によれば、大量のセッションを使用するパソコンのＭＡＣアドレスを使用できなくして、大量のセッションを使っているパソコンのインターネット通信を確実かつ簡単に遮断することができる。
請求項７によれば、大量のセッションを使用していたパソコンのＭＡＣアドレスを記憶して、そのパソコンについてインターネット通信の遮断状態を所望期間に亘って継続することができる。
請求項８によれば、大量のセッションを使用していたパソコンについてインターネット通信の遮断状態を自動的に一定期間に限定することが可能になり、大量にセッションを使用したパソコンの利用者が長期間に亘ってインターネットの使用ができなくなるのを防止し、大量にセッションを使用したパソコン利用者に酷にならないようになし得る。
請求項９によれば、外部のパソコンによってセッション数監視手段を構築して人手を要さずにセッション数の監視を行うことができる。
請求項１０によれば、マンションの全住戸でインターネットを利用できるようにしたインターネットマンションで、セッション数の監視を効率よく行うことができる。
【図面の簡単な説明】
【０００７】
【図１】本発明の一実施形態を示すブロック図である。
【図２】同フローチャートである。
【発明を実施するための形態】
【０００８】
以下、本発明の実施の形態を図面に基づいて説明する。
図１及び図２は本発明の一実施形態を示している。図１において、集合住宅であるマンション１の各住戸２にパソコン５が設置されている。
ここで、住戸２とは、マンション１やアパートのような集合住宅の一戸一戸をいう。
また、パソコン５とは、パーソナルコンピュータの略であって、個人によって占有されて使用されるコンピュータで、個人向けの大きさ、性能、価格を持ち、エンドユーザーが直接操作できるように作られた汎用的なコンピュータである。パソコン５には、デスクトップパソコン、ノートブックパソコン、タブレットＰＣが含まれる。
このマンション１には主装置ボックス７が設けられ、ここにルータ８が設置されており、ルータ８をマンション１の１棟に導入して、マンション１の全住戸２に設置した各パソコン５にＭＡＣアドレスが割り当てられ、各パソコン５がルータ８を介してコンピュータネットワークに接続されるようになっており、マンション１の全住戸２でパソコン５によるインターネットが利用できるようになっている。
而して、マンション１にルータ８を導入して複数の住戸２でパソコン５によるインターネットを利用可能にした通信システムが構成されている。
ここで、ルータ８とは、コンピュータネットワークにおいて、２つ以上の異なるネットワーク間を相互接続する通信機器であり、通常はＯＳＩ基本参照モデルでの第１層（物理層）から第３層（ネットワーク層）までの接続を担う。ルータ８は、基本機能として各ネットワーク間でのＩＰパケット（第３層）をやり取りできるようにする装置であるが、接続機能の他に転送機能と選別機能と管理機能とを有していてもよい。
ここで、転送機能は、ルータ８がＩＰパケットを受け取ると、その中のＩＰパケット・ヘッダーの宛先アドレスを読み取り、宛先アドレスが直接転送可能なアドレスである場合、そのルータ８は宛先のノードへ直接パケットを転送する。直接転送ができないアドレスである場合、経路表（ルーティング・テーブル）と呼ばれる転送先ルータのリストと照合し、パケットを転送先のルータに転送する機能である。
選別機能は、ルータ８が受け取ったＩＰパケットに応じて、優遇して転送したり、フィルタによって転送せずに破棄するなどの機能である。
管理機能は、経路情報の管理も行い、相互接続された他のルータとの通信によって経路情報を交換し合い、常に経路表を最新の状態に保つ等の機能である。
また、ＭＡＣアドレスとは、ネットワーク上で、各ノードを識別するために設定されているネットワーク機器のハードウェアに原則として一意に割り当てられる物理アドレスである。
また、インターネットとは、インターネット・プロトコル技術を利用して相互接続されたコンピュータネットワークである。電子メールやウェブなどはインターネットのネットワークを利用したサービスの一つである。
ここで、インターネット・プロトコル  （ＩＰ）  とは、インターネット上の通信に用いられる基本プロトコル（ネットワーク層（レイヤー））であり、その上にトランスポート（転送）層、さらにその上にアプリケーション層のプロトコルを組み合わせて用いる。
インターネットへのアクセス（接続）は、一般にはインターネット・プロトコル技術を搭載したインターネット端末を使用して、インターネットサービスプロバイダ経由で接続する。
上記マンション１にルータ８を導入して複数の住戸２でパソコン５によるインターネットを利用可能にした通信システムにおいて、インターネットで大量のセッションを使っているパソコン５のインターネット通信を自動的に遮断するセッション数監視手段（セッション数監視システム）１１が設けられている。このセッション数監視手段１１は、マンション１の外部あるパソコンなどでシステムを構築して無人でマンション１の各パソコン５がインターネットで使用しているセッション数の監視を行うようにしたものである。
ここで、セッションとは、コンピュータシステムやネットワーク通信において、接続（ログイン）してから、切断（ログオフ）するまでの、一連の操作や通信のこという。特に、ウェブ（ＷｅＢ）の分野ではアクセス数の単位の一つで、ウェブサイトを訪れたユーザがサイト内で行う一連の行動をまとめて１セッションという。同一のユーザでも、ある程度間隔が開いた場合は、新しいセッションとしてカウントする。どのくらい開いたら新しい訪問とみなすかについてはいろいろな基準があるが、概ね３０分程度とされている。
前記セッション数監視手段１１は、定期的にルータ８にリモートで入りセッション数の調査をする機能と、一定の時間がきたらマンション１側にリモート接続し、リモート接続に成功すれば、ルータ８と通信を開始する機能と、前記リモート接続に成功したか否かを判断し、リモート接続に失敗すれば管理者に通知する機能と、前記セッション数の調査により大量のセッションを使用するパソコン５がある場合、大量のセッションを使用するパソコン５のＭＡＣアドレスを調べる機能と、大量のセッションを使用するパソコン５のＭＡＣアドレスをインターネット使用不可にする機能と、インターネット使用不可にしたＭＡＣアドレスを記憶する機能と、インターネット使用不可にしたＭＡＣアドレスが記憶されている場合、インターネット使用不可にしてから一定の時間がたっていれば、ＭＡＣアドレスを使用可能にする機能とを有し、定期的にルータ８にリモートで入りセッション数の調査をすることにより大量のセッションを使っているパソコン５を調べ、大量のセッションを使っているパソコン５のインターネット通信を遮断するように構成されている。
なお、ここで、マンション１側にリモート接続するとは、マンション１内にあるルータ、パソコン、又は主装置ボックス７内等にあるその他の電子機器とリモート接続することをいう。
図２はセッション数監視手段１１がなす動作を示すフローチャットである。図２において、セッション数監視手段１１がなす動作は、まず、ステップＳ１で、一定の時間がきたらマンション１側にリモート接続をする。これにより、定期的にマンション１の外部からルータ８と通信を開始して、セッション数を効率よく監視することができる。
ステップＳ２で、リモート接続に成功したか失敗したかを判断し、リモート接続に失敗すれば、ステップＳ３で管理者に通知する。これにより、管理者はマンション１の外部にいても通知によってリモート接続に失敗したことを知ることができ、迅速に対処することが可能になる。
リモート接続に成功すれば、ステップＳ４でルータ８と通信を開始する。このとき、インターネット使用不可にしたＭＡＣアドレスが記憶されている場合、ステップＳ５で、インターネット使用不可にしたときから一定の時間がたっていれば、ＭＡＣアドレスを使用可能にし、管理者に通知する。これにより、大量のセッションを使用していたパソコン５についてインターネット通信の遮断状態を自動的に一定期間に限定することが可能になり、大量にセッションを使用したパソコン５の利用者に長期間に亘ってインターネットの使用ができなくなるのを防止し、大量にセッションを使用したパソコン５の利用者に酷にならないようになし得る。また、管理者は、通知によって、インターネット通信を遮断していたパソコン５によるインターネットの使用が可能になったことを迅速に知ることができる。
ステップＳ４からステップＳ６に進み、ステップＳ６で、セッション数を調べる。このとき、大量のセッションを使用するパソコン５がある場合、ステップＳ７で、大量のセッションを使用するパソコン５のＭＡＣアドレスを調べ、ステップＳ８で、大量のセッションを使用するパソコン５のＭＡＣアドレスをインターネット使用不可にして、管理者に通知し、ステップＳ９で、インターネット使用不可にしたＭＡＣアドレスを記憶する。
これにより、大量のセッションを使用しているＭＡＣアドレスを特定することによって、大量のセッションを使用するパソコン５を迅速かつ確実に割り出すことができ、大量のセッションを使用するパソコン５のＭＡＣアドレスを使用できなくして、大量のセッションを使っているパソコン５のインターネット通信を確実かつ簡単に遮断することができる。また、大量のセッションを使用していたパソコン５のＭＡＣアドレスを記憶して、そのパソコン５についてインターネット通信の遮断状態を所望期間に亘って継続することが可能になる。
ステップＳ９からステップＳ１に戻る。一方、ステップＳ６で、大量のセッションを使用するパソコン５がない場合、ステップＳ６からステップＳ１に戻る。従って、前回のセッション数監視動作から一定の時間が経過すると、再びセッション数監視動作が開始され、この一連の動作が順次繰り返される。
上記実施形態によれば、大量のセッションを使っているパソコン５のインターネット通信を自動的に遮断するセッション数監視手段１１を設けたので、大量にセッションを使用している利用者にインターネットの使用ができないようにして、健全に使用しているインターネットの利用者に納得のいけるサービスを提供できるようになる。
また、セッション数監視手段１１は、定期的にルータ８にリモートで入りセッション数の調査をする機能を有しているので、マンション１の外部から定期的にルータ８を調査することにより、大量のセッション数を使用するパソコン５の有無を知ることができ、セッション数の監視を外部から定期的に行って通信システムのサービスを向上させることができる。
また、セッション数監視手段１１は、一定の時間がきたらマンション１側にリモート接続し、リモート接続に成功すれば、ルータ８と通信を開始する機能を有しているので、定期的にルータ８にリモートで入ることにより、マンション１の外部からルータ８と通信を開始して、セッション数を効率よく監視することができる。
また、セッション数監視手段１１は、前記リモート接続に成功したか否かを判断し、リモート接続に失敗すれば管理者に通知する機能を有しているので、管理者はマンション１
の外部にいても通知によってリモート接続に失敗したことを知ることができ、迅速に対処することが可能になる。
また、セッション数監視手段１１は、前記セッション数の調査により大量のセッションを使用するパソコン５がある場合、大量のセッションを使用するパソコン５のＭＡＣアドレスを調べる機能を有しているので、大量のセッションを使用しているＭＡＣアドレスを特定することによって、大量のセッションを使用するパソコン５を迅速かつ確実に割り出すことができる。
また、セッション数監視手段１１は、大量のセッションを使用するパソコン５のＭＡＣアドレスをインターネット使用不可にする機能を有しているので、大量のセッションを使用するパソコン５のＭＡＣアドレスを使用できなくして、大量のセッションを使っているパソコン５のインターネット通信を確実かつ簡単に遮断することができる。
また、セッション数監視手段１１は、インターネット使用不可にしたＭＡＣアドレスを記憶する機能を有しているので、大量のセッションを使用していたパソコン５のＭＡＣアドレスを記憶して、そのパソコン５についてインターネット通信の遮断状態を所望期間に亘って継続することができる。
また、セッション数監視手段１１は、インターネット使用不可にしたＭＡＣアドレスが記憶されている場合、インターネット使用不可にしてから一定の時間がたっていれば、ＭＡＣアドレスを使用可能にする機能を有しているので、大量のセッションを使用していたパソコン５についてインターネット通信の遮断状態を自動的に一定期間に限定することが可能になり、大量にセッションを使用したパソコン５の利用者が長期間に亘ってインターネットの使用ができなくなるのを防止し、大量にセッションを使用したパソコン５の利用者に酷にならないようになし得る。
また、セッション数監視手段１１は、マンション１の外部のパソコン５でシステムを構築して無人でセッション数の監視を行うように構成されているので、外部のパソコン５によってセッション数監視手段１１を構築して人手を要さずにセッション数の監視を行うことができる。
なお、前記実施形態では、本発明の通信システムをマンション１に適用実施しているが、これに代え、マンション１以外のアパートその他の集合住宅に本発明を適用実施するようにしてもよい。
ここで、集合住宅とは、１棟の建物の中に多くの住宅が存在すること、すなわち建物の内部が壁や床によって、いくつもの部分にくぎられて、そのおのおのが独立した住宅になっているものをいい、アパート、マンションなどが該当する。
【符号の説明】
【０００９】
１      マンション（集合住宅）
２      住戸
５      パソコン
８      ルータ
１１      セッション数監視手段
【図１】
2013143622.tif 000003
【図２】
2013143622.tif 000004